(57)【要約】  照明グラフィックパネルに静的及び／又は動的グラフィックを表示するために使用することができる光フィルム装置。照明グラフィックパネルは、車両，建物等のウインドウに又はその近くに取付けることができる。任意の１つ又はそれ以上のセンサは、状況を検出し、検出した信号を制御モジュールに伝えることができる。制御モジュールは、検出した各信号を処理し、照明グラフィックパネルを作動するために、検出した各信号に応じて１つ又はそれ以上の出力信号を出力する。照明グラフィックパネルは、エレクトロルミネセント表示装置であってもよい。本発明の光フィルム装置は、任意の適当な環境に容易に据付けることができる。異なるセンサ及び特定のプログラミングを、光フィルム装置を駆動するのに必要な電力を効率的に管理するユーザフレンドリーな装置を提供するために使用することができる。【選択図】図１８
2008519294.tif 000002
【特許請求の範囲】
【請求項１】
光フィルム装置であって、
照明グラフィックパネルと、
入力信号を伝える少なくとも１つの入力源と、
入力信号を受け、入力信号に応じて出力信号を算出し、照明グラフィックパネルを作動する情報を有する出力信号を伝える制御モジュールと、を備えた、光フィルム装置。
【請求項２】
照明グラフィックパネルが、エレクトロルミネセント表示装置からなる、請求項１に記載の光フィルム装置。
【請求項３】
エレクトロルミネセント表示装置は、静的グラフィック及び動的グラフィックのうち少なくとも１つを表示する、請求項２に記載の光フィルム装置。
【請求項４】
エレクトロルミネセント表示装置は、複数のセグメントを有し、
制御モジュールは、各セグメントに作動情報を伝える、請求項２に記載の光フィルム装置。
【請求項５】
照明グラフィックパネルのルーメン出力レベルは、入力信号に応じて変化する、請求項１に記載の光フィルム装置。
【請求項６】
制御モジュールは、ルーメン出力レベルをその地域の要求レベル又はそれ以下に設定する、請求項５に記載の光フィルム装置。
【請求項７】
少なくとも１つの入力源は、グローバルポジショニングシステム装置及び位置識別装置のうちの少なくとも１つを含む、請求項６に記載の光フィルム装置。
【請求項８】
各入力源は、光センサ，減光センサ，運動センサ，振動センサ，モードセンサ，時間センサ，加速度センサ，速度センサ，方向センサ，温度センサ，湿度センサ，位置センサ，騒音センサ，光学センサ，光スイッチ，減光スイッチ，運動センサ，振動スイッチ，モードスイッチ，時間スイッチ，加速度スイッチ，速度スイッチ，方向スイッチ，温度スイッチ，湿度スイッチ，位置スイッチ，騒音スイッチ，光学スイッチのうちの少なくとも１つを含む、請求項１に記載の光フィルム装置。
【請求項９】
制御モジュールは、少なくとも手動又は自動の何れかで選択することができる複数の作動モードを有する、請求項１に記載の光フィルム装置。
【請求項１０】
照明グラフィックパネルは、検出した信号に応じて少なくとも１つのグラフィックを表示する、請求項１に記載の光フィルム装置。
【請求項１１】
制御モジュールと照明グラフィックパネルのうちの少なくとも１つに接続された電源をさらに備えた、請求項１に記載の光フィルム装置。
【請求項１２】
電源は、ソーラーパネルとバッテリのうちの少なくとも１つを備えた、請求項１１に記載の光フィルム装置。
【請求項１３】
制御モジュールは、電源が照明グラフィックパネルに電力を供給する電力レートを管理する、請求項１１に記載の光フィルム装置。
【請求項１４】
制御モジュールは、入力信号を評価し、ゼロ値と少なくとも全電力値の一部のうち１つに電力レートを設定するための出力信号を算出する、請求項１３に記載の光フィルム装置。
【請求項１５】
電源は、バッテリを有し、制御モジュールは、バッテリを再充電するための出力信号を算出する、請求項１１に記載の光フィルム装置。
【請求項１６】
照明グラフィックパネルは、ガラス面に対して取付けられる、請求項１に記載の光フィルム装置。
【請求項１７】
照明グラフィックパネルは、車両に対して取付けられ、入力信号は、検出された運転パラメータと検出された環境パラメータのうちの少なくとも１つに相当する、請求項１に記載の光フィルム装置。
【請求項１８】
入力源は、複数の設定の１つを入力信号として選択操作可能な減光スイッチを含む、請求項１に記載の光フィルム装置。
【請求項１９】
各設定は、照明グラフィックパネルの異なるルーメン出力レベルに対応する、請求項１８に記載の光フィルム装置。
【請求項２０】
光フィルム装置を作動するための方法であって、
少なくとも１つのパラメータを検出し、制御モジュールに検出した信号を出力する工程と、
制御モジュールにより、検出した信号に応じて出力信号を算出する工程と、
照明グラフィックパネルに出力信号を配信し、検出した信号に応じて少なくとも１つのグラフィックを表示する工程と、を備えた方法。
【請求項２１】
制御モジュールにより、電力を照明グラフィックパネルに配送する電源を管理する、請求項２０に記載の方法。
【請求項２２】
制御モジュールにより、検出した各信号を評価し、電力レートをゼロ値と少なくとも全電力値の一部のうち１つに設定する情報を有する出力信号を送る、請求項２０に記載の方法。
【発明の詳細な説明】
【技術分野】
【０００１】
本発明は、一般に光フィルム装置に係り、特に車両等のウインドウ又はガラス表面又はその近くに配置することができる照明グラフィックパネルに関する。
【背景技術】
【０００２】
エレクトロルミネセントランプ又は装置は標識に使用されてきた。ＥＬランプ又は装置を製造するための方法は周知である。
【０００３】
在来のある非常出口標示は、ＥＬランプを、光電子リンクによりＥＬランプと接続されたパイロット灯と組み合わせて用いている。光電子リンクは、ＥＬランプの輝度を監視し、ＥＬランプが点灯している限り、パイロット灯の点灯を保持する。ＥＬランプによって供給される照明は、背景の明るさの照明よりも小さいことがあり、これはＥＬランプを見ることにより、ＥＬランプが印加されているか否かを判別することを難しくする。かくして、パイロット灯は、ＥＬランプが点灯しているか否かを、ＥＬランプよりも容易に検出できる照明ポイントを提供する。この特定の組み合わせが、出口標示の作動状態をチェックするビル検査官にとって役立つ。
【発明の開示】
【０００４】
多くの安全の理由及び市場向きの適用のため、異なった場所においてグラフィック要素の視認性を高める必要性がある。例えば、車両のグラフィック要素の高められた視認性は、雪，雨，暗さ及び／又は霧のような低い視認性の運転状況を克服するのに役立つ。車両の特定のグラフィック要素の視認性を高めると、特に悪天候状況又は低い視認性の運転状況で、他の運転者が専用の情報をよりよく見ることができる。本発明の光フィルム装置は、安全標示、運輸省，軍，州兵，警察及び消防署のシンボルを含む公共サービスシンボル、建設場所，地区当局，ヘルプ／警告メッセージ、大きなイベントのための地区駐車許可証，販売促進アイコン，車両ブランドロゴ及び広告メッセージのような他の多くの市場向きの適用のような、任意の適当な又は所望の状況又は様式で使用することができる。
【０００５】
また、本発明による製品は、実用的な又は現実的な使用のための特定の基準に対応又は満足する必要性がある。本発明の一実施形態では、これは、センサ，減光スイッチ又はセンサ，及び制御モジュールを照明グラフィックパネルと統合することにより達成され、制御モジュールは専用の運転又は使用環境の特定のパラメータ内で作動するようにプログラム及び／又は作ることができる。
【０００６】
本発明の実施形態による光フィルム装置は、透光性グラフィックパネル，光センサ，運動センサ，時間センサ及び／又は減光設定と一体化又は組み合わされたエレクトロルミネセント（ＥＬ）パネルを含んでいてもよい。光フィルム装置は、言葉，ロゴ及び／又はシンボルのようなテーマグラフィックを、例えば視界不良な天候及び／又は運転状況で目立たせるように、車両ウインドウ又は建物のウインドウのような構造物又は表面に取付けることができる。
【０００７】
ある状況での特定の作動基準を提供する必要がある。現実社会又は市場の製品適用に対する問題に取り組むべきである。
【０００８】
ある例では、本発明による製品は、市場に導入されるときに、ルーメン出力レベル，アニメーション効果及び車両への製品の位置決め又は配置に関する種々の米国連邦及び米国州運送規則のような地方の条例に従わなくてはならない。減光スイッチ又は制御の特徴により、ルーメン出力レベルを、１つ又はそれ以上の設定規則内又はこれを超えないように調整することができる。この特徴又は調整は、手動又は自動で行うことができる。モードスイッチの特徴は、最終使用が規則内であり又は規則に合致することを保証することができる。製品構成は、例えば使用目的に応じて、車両のサイドウインドウ又はバックウインドウに取付けることができる。
【０００９】
本発明の製品は、使い易く、メンテナンスに手間が掛からず、制御モジュールの設定及び機能パラメータの範囲で作動することができる。例えば、運動センサ，光センサ及び／又は時間スイッチを、すべての必要な又は所望の調整をするのに使用することができ、これにより、一旦所望の作動モードが設定されると、ユーザはオン／オフスイッチを使用又は処置しなくてもよい。ユーザが、モード設定を変更する選択肢を有していてもよい。バッテリ再充電機能は、特に自動であれば、ユーザがバッテリを取替え又は手動で再充電することを気にしなくてもよくなる。取外し可能なバッテリモジュールは、簡単なバッテリ交換操作を提供する。フレキシブルな取付適合及び制御モジュール付きのＤＣアダプタは、据付けを容易にする。バッテリパックは、より容易な据付けのための自動配線操作を必要としない。
【００１０】
本発明による製品は、潜在的な市場への適用に基づいて、ある範囲の合理的なコストで製造及び作動することができる。交換可能な透光性パネル及び層組立体により、ＥＬ部品を白色バックライトとして標準化することができる。かくして、透明プラスチックシート材料のカスタム印刷は、コスト，在庫及び製造時間を最小化する。センサは、製品機能を最適化し、ユーザフレンドリーな製品を提供し、使用時のバッテリ寿命を延ばす。例えばソーラーパネルの選択肢を備えたバッテリ再充電機能は、バッテリ寿命を延ばすことができる。車両ＤＣポート及びアダプタ／制御モジュールは、バッテリなしでの装置の使用を可能にする。
【００１１】
本発明による製品により、消費者は、特定の必要性に対する高められた視認性の特性が追加された価値を獲得することができる。また、消費者は、必要ならば合法な車両ガイドライン内で、本発明の光フィルム装置を使用することができ、改良されたユーザ特性及びコスト効果作用から恩恵を受ける。本発明による光フィルム装置は、静的又は一定表示又は照明，及び／又は動的又はアニメーションのグラフィック表示又は照明を含むことができ、２つ又はそれ以上のグラフィックパネルを含んでいてもよい。本発明の光フィルム装置は、家庭のウインドウ又はビジネス又は店頭のウインドウでの標識のような車両への適用以外に任意の適当な適用に使用することができる。
【００１２】
本発明の特徴は、図面を考慮して明細書が読まれるときよりよく理解することができる。
【発明を実施するための最良の形態】
【００１３】
本発明は、光フィルム部品，制御モジュール，及びある実施形態においてはソーラーパワーユニット及び／又はバッテリを含む光フィルム装置を提供する。図１−図１９は、本発明のある実施形態による光フィルム装置を示す。光フィルム装置は、例えば市場への適用，安全への適用及び／又は緊急事態のための所望のグラフィックを表示するために、ウインドウ、例えば図１７に示す車両ウインドウ１００に対して取り付けることができる。本発明の光フィルム装置は、他の運転者及び／又は歩行者又は傍観者が、例えば悪天候及び／又は悪運転状況で見ることができるような高い視認性のグラフィックを提供することができる。本発明の光フィルム装置は、安全標示、運輸省，軍，州兵，警察及び消防署のロゴ又はバッジのような公共サービスシンボル、建設場所，作業者，地区当局，ヘルプ／警告メッセージ、大きなイベントのための地区駐車許可証，販売促進アイコン，車両ブランドロゴ及び広告メッセージのような他の適した情報及び／又は市場への適用を含み、またこれに限定されない種々の適用に使用することができる。
【００１４】
この明細書を通して及び請求の範囲では、「照明グラフィックパネル」，「エレクトロルミネセント表示装置」，「エレクトロルミネセントディスプレー」，「エレクトロルミネセント装置」，「エレクトロルミネセント要素」，「発光ダイオード（ＬＥＤ）」並びに他の類似用語は、互いに代替可能であることを意図している。「照明グラフィックパネル」又は他の代替可能な用語は、各々、任意の適した光供給源又は光源によって点灯することができるパネル形状要素を含む照明装置に関連することを意図している。また、「照明グラフィックパネル」又は他の代替可能な用語は、現在入手できるＥＬ照明装置、並びに入手可能となるＥＬ装置又は他の適当な照明装置に関係し、及びこれらを含むことを意図している。
【００１５】
本発明のある実施形態では、照明グラフィックパネルは、発光ダイオード（ＬＥＤ）技術で設計及び／又は製造することができ、これによりコスト削減をもたらすことができる。例えば、ＬＥＤ光を専用のパネルセグメントに拡散させることができ、これは任意の適当な寸法、断面及び／又は形状をとることができる。
【００１６】
本発明の一実施形態では、例えば壁又は構造バッフルでＬＥＤ照明セグメントを仕切ることができる特別なアート作品セグメントの形状を上方向から見るときには、ポケットアプローチ又は配置は、成形プラスチックの不透明な壁を使用することができる。ＬＥＤ構造は、ＰＣボードに配線され、半田付けされ、或いはさもなければ電気的に接続されるように、ボード上に又はボードに取付けることができ、各セグメントの近く、例えば下に配置することができる。ＬＥＤ構造は、ポケット光拡散器、例えばセグメントの所望の形状のエッチングされた透明なプラスチックに圧入することができる。
【００１７】
本発明による他の実施形態では、均等に分散した照明を達成するために、壁構造のセグメントは、アート形状のような異なった形状に成形することができる。セグメント形状は、例えば、白又は非白ペイント又は他の同様の材料でバックペイントする必要がない、テクスチャード外面をエッチングして又はエッチングなしで作るために、射出成形プラスチックであってもよい。ＬＥＤ構造は、光をセグメントへ分散するために、セグメントの縁部に隣接して又はその近傍に取付け又は配置することができる。縁部照明は、異なった複雑又は入り組んだグラフィックデザインを実行するのを助ける。
【００１８】
本発明の照明グラフィックパネルがＬＥＤ構造で構成されるとき、全体寸法は、典型的には、１つ又はそれ以上のＥＬ要素２８で製造された同様の製品よりも大きくなる。ＬＥＤ構造は、各グラフィックセグメントに光をより均等に分散するため、増大したセグメント要素を必要とし、これが、特定の用途に応じてよりよい光分散を達成するため、パネルに追加的な厚さをもたらす。しかしながら、ＬＥＤ技術と関連したコストが十分に低いか低くなれば、ＬＥＤ技術に対する著しい市場需要があり得る。
【００１９】
本発明の一実施形態では、図１−図７に示すように、光フィルム装置２０は光フィルム部品２５を含む。光フィルム部品２５は、光フィルム部品２５のハウジング要素を取付け又は収容するためのフレーム又はハウジング２６を含む。ハウジング２６は、光フィルム部品２５の１つ又はそれ以上の要素を適切に収容するのに適した任意の形状及び／又は寸法を取り得る。エレクトロルミネセント（ＥＬ）要素２８，透明要素３０及び接着要素３２は、図１−図３に示すのと同様な実施形態にしたがって、層状に、サンドイッチ状に又は面対面関係に配置され，配列され又は構成され、そして、ハウジング２６にしっかりと収容及び／又は連結されている。好ましいが必ずしも限定されないが、各要素面又は各要素の他の適当な部分は、光フィルム部品２５の隣接した要素の面又は他の適当な面に対して配置されている。例えば、光フィルム部品２５の要素は、光フィルム部品２５の隣接した又は近隣の要素と面対面接触していてもよい。着色透明のような代替パネルは、ＥＬ要素２８と、ウインドウ１００のようなハウジング２６が取付けられる面との間に取付けるために配置してもよい。層状組立体を有する代替透明グラフィックパネルは、ＥＬ要素２８を例えば白色バックライトとして標準化することを許容し、かくして、透明プラスチックシートへのカスタム印刷は、コスト，在庫及び／又は製造時間を削減するために使用することができる。
【００２０】
本発明のある実施形態では、光フィルム装置２０の要素は、任意の適当な全体及び／又は断面形状を有していてもよく、及び／又は、任意の適当な関係で構成してもよい。好ましいが必ずしも限定されないが、比較的スリムなデザインを有する器具又は装置を製造するために、例えば製造又は構成中に、各要素層が重ねられた層状構成を提供することができる。要素が支持プレートに一体化され、添付され、及び／又は連結された、支持プレート構成を提供することもできる。要素が射出成形モジュールのようなモジュールに一体化され、添付され、及び／又は連結された、支持ハウジング構成を提供することもできる。各構成では、部分組立体は、任意の適当な場所で、任意の適当な車両表面を含む専用又は利用可能な表面に取付けることができる。
【００２１】
本発明のＥＬ要素２８は、市場で入手可能な任意の適当な在来のＥＬ要素を含み得る。本発明の一実施形態では、ＥＬ２８は、少なくとも１つのパネルを含む。例えば、ＥＬ要素２８は、ハウジング２６の前面又は前領域の少なくともある部分に沿って延びる、少なくとも１つの白色又は無色パネルを含んでもよい。ＥＬ要素２８は、バックライトグラフィックパネル３１に適した、少なくとも１つの白色又は無色パネルに追加して又は代えて他の色パネルを含んでもよい。好ましいが必ずしも限定されないが、ＥＬ要素２８は、ハウジング２６の前面又は前領域のすべて又は実質的に全領域を覆う。本発明のある実施形態では、ＥＬ要素２８は、任意の適当なグラフィックを有して製造又は印刷することができ、これは要素３０の必要性を排除する。
【００２２】
本発明のある実施形態では、ＥＬ要素２８は、複数のセグメントを有していてもよく、その各々を、個別に制御してもよい。制御モジュール４２は、ＥＬ要素２８の１つ又はそれ以上の異なるセグメントに出力信号を出力することができる。各セグメントの独立制御により、多くの異なる複雑な静的又は動的なグラフィックを本発明の光フィルム装置２０で表示することが可能である。
【００２３】
図３に示すように、要素３０は、透明であってもよく透明でなくてもよく、ＥＬ要素２８に対して相対的に固定された関係に配置されている。例えば、要素３０の第１面は、好ましくはＥＬ要素２８の隣接した面に接触する。要素３０は、図１又は図８に示すように、適当な又は所望のグラフィックパネル３１からなっていてもよい。グラフィックパネル３１は、例えば、図１に示すようなロゴのような任意の望ましいグラフィック，図８に示すような消防署バッジ又は図１１に示すようなアメリカ国旗を含み得る。当業者は、要素３０が任意の所望の又は適当な寸法，断面及び／又は形状を有するグラフィックパネル３１を含み得ることを理解するであろう。グラフィックパネル３１は、任意の所望の数及び／又は形状のグラフィックディスプレーを有していてもよい。要素３０及び／又はグラフィックパネル３１は、アセテートフィルム層，レキサンフィルム層又は他の任意の透明シート材料のような任意の適当なフィルム材料を含み得る。好ましいが必ずしも限定されないが、要素３０及び／又はグラフィックパネル３１は、各々、ＣＭＹＫインク又はスポットカラーインクのような透明インクで印刷される。
【００２４】
接着要素３２は、例えば図３で示唆されるように要素３０のもう一方の面に接触する一方の面を有する。接着要素３２は、ビジネスフロントウインドウ，ドアウインドウ又は車両ウインドウのような支持面又は取付面に接触する面を含む。接着要素３２は、例えば層形状の任意の適当な透明又は半透明接着剤からなっていてもよい。接着要素３２は、使用時には光フィルム装置２０がしっかりと取付面に取付けられているが、接着要素３２及び／又は取付面に損傷を与えることなく取付面から選択的に取外すことができるように、取付面に光フィルム装置２０を取外し可能に固定するために、適当な接着成分又は接着層を含んでいてもよい。吸引カップ，ブラケット，他の接着剤，静的付着装置，スクリュー，ワイヤ，フックループファスナ及び／又は他の機械的，電気的及び／又は磁気的コネクタのような他の適当な部品を取付構造又は取付面に対して光フィルム装置２０を取付けるために使用することができる。
【００２５】
本発明の一実施形態では、少なくともソーラーパネル３４が、バッテリ作動又はＤＣ電力光フィルム装置２０に、例えばバックアップ電力及び／又は充電電力を供給するために、光フィルム部品２５に電気的及び／又は機械的に動作可能に連結されている。ソーラーパネル３４は、光フィルム部品２５と一体化することができ、図２及び図３に示すようにハウジング２６の後面のような光フィルム部品２５に連結することができ、且つ／又は、図１２に示すようにワイヤ又はケーブル接続３６を通して光フィルム部品２５につながれた独立部品であってもよい。好ましいが必ずしも限定されないが、ソーラーパネル３４は、太陽エネルギーの吸収を最適化するために、例えば車両の任意の適当な構造部品に対して配置し，取付け又は設置される。
【００２６】
本発明のある実施形態では、ソーラーパネル３４は、任意の移動する太陽エネルギー源を利用するため、ソーラー集光器が互いに及び／又は例えばハウジング２６に対して回転及び／又は旋回するように、ハウジング２６に構造的に，機械的に及び／又は電気的に連結又は一体化することができる。任意のサーボモータ制御の，構造的な及び／又は電気的な連結を、任意の適当な相対移動を達成するために使用することができる。単一の又は複数のソーラーパネル３４を、異なる物理的配置を達成するために使用することができる。本発明の光フィルム装置２０を車両に使用するとき、太陽エネルギー源を利用及び／又は少なくとも部分的にソーラーパネル３４を隠すために、移動可能なソーラーパネル３４を、手動及び／又は自動で移動するようにプログラムしてもよい。
【００２７】
光フィルム装置２０は、光フィルム部品２５のハウジング２６に対して配置可能又は取付け可能なバッテリモジュール４０を含んでいてもよい。本発明の一実施形態では、バッテリモジュール４０は、図２−図４に示すように、モジュールハウジング３８と光フィルム部品ハウジング２６との間にスライド可能に配置できる。バッテリモジュール４０は、リチウムセル，ニッケルカドミウム再充電可能ボタンセル又は標準的なＡＡＡバッテリのような適当なバッテリ４１を収容し、これは制御モジュール４２に給電する。他の形態では、制御モジュール４２を、車両内に配置された電力ポートを通してＤＣ電力、又は他の適当な電圧によって給電してもよい。本発明の一実施形態では、ソーラーパネル３４は、必要に応じてバッテリ４１を再充電するためにバッテリ４１に接続される。
【００２８】
この明細書を通して及び請求の範囲で使用されているように、「制御モジュール」は、「制御装置」，「コントローラ」，「スマートモジュール」及び／又は１つ又はそれ以上の機能を制御するプログラムされた装置を表す同様の用語と代替可能であることを意図している。
【００２９】
本発明の一実施形態では、制御モジュール４２は、光フィルム装置２０に対して相対的な固定位置に取り付けられたＰＣボード４３のようなプログラムされたコントローラと通信する。制御モジュール４２，ＰＣボード４３及び／又は他の適当な制御要素は、光フィルム装置２０の作動及び管理を制御することができるか又は制御するようにプログラムすることができる。好ましくは、図３に示すように、モードスイッチ又はセンサ４４，減光スイッチ又はセンサ４６，運動スイッチ又はセンサ４８及び光スイッチ又はセンサ５０のような複数の部品の少なくとも１つは、各々、光フィルム装置２０の出力を操作及び／又は管理するために、ＰＣボード４３及び／又は制御モジュール４２に動作可能に接続され、且つ、応答的に通信する。スイッチ又はセンサの任意の１つ又はそれ以上は、制御モジュール４２に配線接続することができ、且つ／又は、制御モジュール４２とワイヤレスモードで通信することができる。上述のセンサ又は他の適当なセンサの少なくとも１つは、各々、検出信号を出力することができる。本発明の一実施形態では、制御モジュール４２は、検出信号を受け取り、その検出信号の関数として出力信号を出力し、ＥＬ要素２８又は他の適当な照明グラフィックパネルを作動する。
【００３０】
本発明のある実施形態では、光フィルム装置２０は、当業者に知られた他の適当な又は代替可能な部品に追加して、本明細書で述べた任意の数の部品を含んでいてもよい。モードスイッチ４４は、オフ位置，動作オン位置，動作オフ位置及び／又は定作動位置を含む多位置スイッチからなっていてもよい。モードスイッチ４４は、任意の必要な調整又は制限パラメータ内で光フィルム装置２０を作動させる位置を選択するように使用することができる。減光スイッチ又はセンサ４６は、例えば特定管轄での車両規制のような任意の地方自治体条例を遵守するために、望ましいルーメン出力レベルを調整するための設定を含んでいてもよい。運動センサ４８は、スプリングタイプセンサ，ロッカータイプセンサ，加速度計，速度計，方向センサ及び／又は位置センサのような任意の適当なセンサからなっていてもよい。光センサ５０は、好ましくは、時刻，及び／又は暗さ，雲り，雨，雪及び／又は霧のような天候状況に応じて、光フィルム装置２０の適切な作動のための適切な電力を供給するように制御モジュール４２と通信する。
【００３１】
制御モジュール４２は、グローバルポジショニングシステム装置のような任意の適当な位置識別装置と相互作用させることができる。この明細書を通して及び請求の範囲で使用されているように、「位置識別装置」は、「グローバルポジショニングシステム装置」と代替可能であることを意図し、また、本発明による光フィルム装置２０の位置又は場所を識別する他の任意の適当な機械的及び／又は電気的装置と代替可能であることを意図している。本発明のある実施形態では、制御モジュール４２は、ルーメン出力レベルのような光フィルム装置２０の任意の制御可能なパラメータを調整するようにプログラムすることができる。このような調整能力により、本発明の光フィルム装置２０は、手動的又は自動的に位置を識別し、地方条例又は規制を遵守するように使用することができる。ある地方では、最低及び／又は最大ルーメン出力レベルを求めることがあり、制御モジュール４２は、これを識別して光フィルム装置２０の任意の制御可能な部品に出力信号として配信することができる。さらに、ある地方が本発明による光フィルム装置２０の使用を禁止する場合は、制御モジュール４２を、光フィルム装置２０を自動的に終了又は停止するようにプログラムすることができる。
【００３２】
本発明のある実施形態では、制御モジュール４２は、各検出信号を評価し、プログラムされたステップにしたがって各検出信号を処理し、そして、１つ又はそれ以上の出力信号を出力することができ、出力信号の各々が、例えば出力レートをゼロ，部分電力又は全電力に設定するための情報を含んでいてもよい。
【００３３】
本発明の一実施形態では、内部タイマスイッチは、運動スイッチ４８と共同して、所定時間、例えば５分期間が経過した後、手動及び／又は自動モードの決定及び設定に応じて、少なくとも１つの照明スイッチをオン位置，オフ位置又は部分電力位置に駆動することができる。また、光フィルム装置２０は、音又は騒音センサ，振動センサ及び／又は温度センサ又はスイッチを含んでいてもよい。さらに、種々の動作センサが任意の１つ又はそれ以上のプログラムされた静的及び／又は動的グラフィックアニメーションを駆動又は始動させてもよい。
【００３４】
図１８に示すように、本発明の一実施形態による光フィルム装置２０は、モードスイッチ又はセンサ４４，減光スイッチ又はセンサ４６，運動スイッチ又はセンサ４８及び光スイッチ又はセンサ５０を含む独立した又は取外し可能な制御モジュール４２を含む。取外し可能なバッテリパック６０及び／又はソーラーセル３４は、ワイヤ又はケーブル６２のようなコネクタを介して光フィルム部品２５に接続することができる。
【００３５】
図１９に示すように、本発明の好ましい実施形態による光フィルム装置２０は、モードスイッチ又はセンサ４４，減光スイッチ又はセンサ４６，運動スイッチ又はセンサ４８及び／又は光スイッチ又はセンサ５０を含み、且つ、例えば任意の適当なＤＣ又は他の電力を給電するためのプラグハウジング６４に連結又は一体化された、独立した又は取外し可能な制御モジュール４２を含んでいてもよい。本発明の一実施形態では、制御モジュール４２は、図１９に示すように、ワイヤ６２で直列接続することができる。本発明のセンサ及び／又はスイッチは、バッテリ寿命を長くするために使用することができる。
【００３６】
本発明による光フィルム装置２０は、あるパラメータ制御環境で作動及び機能するグラフィクのように、照明グラフィックを発生することができる。照明グラフィックパネルは、制御モジュール４２で定められたパラメータ内で機能することができる。ＥＬ要素２８は、制御モジュール４２に入力情報を供給するために異なるタイプのセンサ及び／又はスイッチを使用することにより、地方条例又は規則によって定められたパラメータのような特定のパラメータ内で機能するＥＬ照明グラフィックパネルであってよく、これにより特定の環境を作動及び／又は管理するようにプログラムすることができる。
【００３７】
本発明の光フィルム装置２０は、照明されたグラフィック、特に、ユーザーフレンドリーなパラメータ制御環境で作動するグラフィックを提供することができる。特定の制御環境に必要なパラメータを、制御モジュール４２を適切にプログラムすることにより、適合させて、手動入力と共に又は手動入力無しで自動的に、その制御環境を作動及び／又は管理することができる。
【００３８】
光フィルム装置２０は、制御モジュール４２のプログラミングの機能により、ユーザーフレンドリーな方法で、特定の所望の照明グラフィックを得るように構成することができる。本発明のある実施形態では、光フィルム装置２０は、比較的少ないユーザ入力を必要とし、安全及び危険情報のような重大な情報，並びに組織での構成員であることを識別すること又はグラフィックメッセージを提供することのような重大でない情報の表示を達成するのに使用することができる。重要でない機能の例として、ハウジング２６を、車両のリアウインドウに取付け、サッカーボールを、車両が左ターンするときには左から右へ、車両が右ターンするときには右から左へグラフィクで移動させてもよい。他の同様な重大でないメッセージが本発明の光フィルム装置２０と通信するようにしてもよい。
【００３９】
制御モジュール４２及び／又はＥＬ要素２８には、ソーラーパワーセルのみを使用して又はバッテリ電源と組み合わせて給電することができる。ソーラーパワー源は、バッテリ電源を自動及び／又は手動で再充電するために使用することができる。ソーラーパワー源は、ハウジング２６の一部であってもよいし、分離していてもよい。ハウジング２６から分離している場合は、ソーラーパワー源は、太陽光線の集光を最適化するために、異なる場所、例えば車両に配置することができる。
【００４０】
減光スイッチ又はセンサ４６は、任意の特別な地方条例を遵守するために、ルーメン出力レベルを自動的に調整するように使用することができる。制御モジュール４２は、光フィルム装置２０の位置を計算し、例えば地方条例を厳守するために、ルーメン出力レベル設定の格納ライブラリに位置を適合させるか、郵便番号のような手動入力に対応して、格納又はプログラムされた値のライブラリと適合させるようにすることができる。
【００４１】
光スイッチ又はセンサ５０は、任意の特別な環境で暗さのレベルを検出し、そして、自動的に光フィルム装置２０に電力を供給するか、光フィルム装置２０をパワーオンするようにユーザに警告する信号を送出するように使用することができる。光スイッチ又はセンサ５０は、光フィルム装置２０のルーメン出力レベルを調整するために、検出された環境状況に応じて、減光スイッチ又はセンサ４６と組み合わせて使用することができる。
【００４２】
また、タイマを、特定のモード設定に基づいて、例えば光フィルム装置２０をオン又はオフにする運動スイッチ又はセンサ４８と組み合わせて使用することができる。例えば、制御モジュール４２は、車両の移動が検出されなくなった後ある時間内で、電力停止又はスタンバイモードに移行するようにプログラムすることができる。
【００４３】
本発明の任意の１つ又はそれ以上のセンサ又はスイッチを、制御モジュール４２に信号を送出し、これにより、制御モジュール４２がその１つ又はそれ以上の信号をＥＬ要素２８に特定のグラフィックを表示させる特定の出力信号に加工処理するように使用することができる。例えば、任意の音，動作，温度差又は他の同様の物理的パラメータを、制御モジュール４２で処理して、あるグラフィック描画にすることができる。例えば、加速度計でのステッピングは、動的な排気炎のグラフィック表示にすることができる。
【００４４】
１つ又はそれ以上の集積回路チップを有していても有していなくても任意の適当な集積回路ボードは、任意の入力装置及び／又は出力装置に対する異なるプログラミング能力を達成するために、制御モジュール４２と共に又はこれに加えて使用することができる。
【００４５】
接着層３２は、ハウジング２６及び関連要素をウインドウ又は他の適した構造に取付けるのに適した、透明又は着色された任意の適当な接着剤であってもよい。ＥＬ要素２８は、任意の白色又は非白色を有することが可能であり、また、バックライトテーマグラフィックパネルを有していてもよい。ＥＬ要素２８は、多色のＥＬパネルを含んでいてもよい。
【００４６】
ハウジング２６は、任意の適当な方法で組み立てることができ、車両表面を含む任意の適当な表面に対して取付けることができる。
【００４７】
制御モジュール４２は、ハウジング２６に局所的に取付けられてもよく、また、制御及び／又は検知されている任意の装置へ有線又は無線通信できれば、離れた場所に取付けられていてもよい。
【００４８】
図２５−図２９は、各々、本発明により、異なった制御モードを達成するためのプログラムステップの異なるフローチャートを示している。図２５に示すように、ＥＬ要素２８は、運動スイッチ又はセンサ４８から受けた信号に応答して、起動することができる。電源オン設定では、プログラムは、輝度レベルを確認して、例えばロー，ミディアム又はハイパワーに手動又は自動で設定されるようにすることができる。そして、電源オン設定では、プログラムは、モードスイッチ又はセンサ４４の位置を確認する。そして、条件が合致すれば、ＥＬ要素２８は、電源がオフにされるまでグラフィックを表示する。
【００４９】
図２５に示すように、電源自動位置では、プログラムは、光制御のため、光スイッチ又はセンサ５０によって受けた信号を確認し、モードスイッチ又はセンサ４４の位置に応じて、設定時間の間、又は、動きが運動スイッチ又はセンサ４８から検出されるまで、グラフィック表示を継続することができる。
【００５０】
図２５に示した制御にしたがって、光スイッチ又はセンサ５０は、周囲の光レベルがＥＬ要素２８の光レベルよりも大きくなると、例えば電力節約のため、電力を自動的に遮断することができる。ユーザは、例えば図２１に示したようなスライドスイッチを使用して、ＥＬ要素２８に送出するための１つ又はそれ以上のプログラムされたアニメーションシーケンスを選択することができる。また、図２１は、ロー，ミディアム及びハイで示されるような、ルーメン出力レベルのための複数のプリセットレベルの１つを選択するための手動スイッチを示す。
【００５１】
図２６は、ラジオ周波数（ＲＦ）信号のような無線通信の確認を含む他の制御スキームを示している。図２６に示したプログラムステップに加えて、ＥＬ要素２８は、ＲＦ信号，又は例えばＧＰＳ衛星又は民間通信塔からの他の情報信号によって、起動することができる。本発明の一実施形態では、予め設定された任意のルーメン出力レベルを、他のＲＦ入力又は他のＧＰＳ衛星入力のような他の通信源，又は他の適した入力信号によって、無効にし、且つ／又は置換えてもよい。例えば、対向緊急車両は、その運転者又は近くの運転者に警告信号を表示するため、制御機能を無効にし且つ／又は置換える信号を送信してもよい。
【００５２】
図２７は、本発明の異なる実施形態による別の制御スキームを示しており、ここでは、マイクロフォンのような騒音レベルセンサを、ＥＬ要素２８に対する出力を制御するために使用することができる。ユーザは、例えばマイクロフォンからのモード又はマイクロフォンからの出力レベルに応じて、異なるアニメーションシーケンス又はグラフィック表示を選択することができる。
【００５３】
図２８は、本発明の他の実施形態による制御スキームを示しており、ここでは、加速度計が、例えばスイッチ設定又は信号に応じて、アニメーションシーケンス又はグラフィック表示を制御するために使用される。
【００５４】
図２９は、本発明の他の実施形態による制御スキームのためのフローチャートを示しており、デュアル加速度センサが、制御モジュール４２に入力信号を配信するために使用される。デュアル加速度センサは、ブレーキ，旋回及び／又は加速を検出し、これにより、１つ又はそれ以上の入力信号を制御モジュール４２に配信するために使用することができ、そして、制御モジュール４２は、１つ又はそれ以上の出力信号を送信して、上述のようなサッカーボールの左から右への移動及び／又は上方及び下方移動のような複雑なグラフィックを表示することができる。
【００５５】
図２５−図２９で特定される異なるプログラムステップは、互いに入れ替えることができる。さらなるコンピュータステップを、１つ又はそれ以上の検出された任意のパラメータを、グラフィック表示、複雑なグラフィック表示さえも生じさせる１つ又はそれ以上の出力信号に変換するために使用することができる。
【００５６】
本発明は、本発明の実施に含まれる種々の特徴を説明又はシミュレートする上記実施形態又は例に関連してより詳細に記載される。本発明の精神に含まれるすべての変形が保護されることが望ましく、これにより、本発明はどの例によっても制限されるように解釈されないと理解されるべきである。
【図面の簡単な説明】
【００５７】
【図１】本発明の一実施形態によるグラフィック表示領域と光センサ位置を有する光フィルム装置の正面斜視図である。
【図２】ソーラーパネルと取外し可能なバッテリモジュールを含む、図１に示した光フィルム装置の背面斜視図である。
【図３】本発明の一実施形態による光フィルム装置の分解背面斜視図である。
【図４】図３に示した光フィルム装置の背面図である。
【図５】図３に示した光フィルム装置の平面図である。
【図６】図３に示した光フィルム装置の底面図である。
【図７】図３に示した光フィルム装置の側面図である。
【図８】本発明の他の実施形態による光フィルム装置の正面図である。
【図９】図８に示した光フィルム装置の背面図である。
【図１０】図８に示した光フィルム装置の側面図である。
【図１１】本発明のさらに他の実施形態による光フィルム装置の正面図である。
【図１２】ソーラーパネルに動作可能なように接続された、図１１に示した光フィルム装置の背面図である。
【図１３】図１１に示した光フィルム装置の側面図である。
【図１４】図４の光フィルム装置の図４のＡ−Ａ切断線に沿った断面図である。
【図１５】図４の光フィルム装置の図４のＢ−Ｂ切断線に沿った断面図である。
【図１６】図４の光フィルム装置の図４のＣ−Ｃ切断線に沿った断面図である。
【図１７】車両ウインドウに取り付けられた本発明の一実施形態による光フィルム装置の斜視図である。
【図１８】バッテリパックとソーラーパネルを含む本発明の他の実施形態による光フィルム装置の斜視図である。
【図１９】２種のアダプタプラグを示す本発明のさらに他の実施形態による光フィルム装置の斜視図である。
【図２０】本発明のさらに他の実施形態による光フィルム装置の正面図である。
【図２１】図２０に示した光フィルム装置の背面図である。
【図２２】本発明の一実施形態によるソーラーパネルの正面図である。
【図２３】図２２に示したソーラーパネルの側面図である。
【図２４】図２２に示したソーラーパネルの背面図である。
【図２５】本発明の一実施形態による光及び動作制御のプログラムステップを示すフローチャートである。
【図２６】本発明の一実施形態による光，動作及び無線制御のためのプログラムステップを示すフローチャートである。
【図２７】本発明の一実施形態による光，動作及び音制御のためのプログラムステップを示すフローチャートである。
【図２８】本発明の一実施形態による光及び加速制御のためのプログラムステップを示すフローチャートである。
【図２９】本発明の一実施形態による光及びデュアル加速制御のためのプログラムステップを示すフローチャートである。
【符号の説明】
【００５８】
２０  光フィルム装置
２５  光フィルム部品
２６  ハウジング
２６  光フィルム部品ハウジング
２８  エレクトロルミネセント（ＥＬ）要素
３０  透明要素
３１  グラフィックパネル
３２  接着要素
３４  ソーラーパネル
３６  ケーブル接続
３８  モジュールハウジング
４０  バッテリモジュール
４１  バッテリ
４２  制御モジュール
４３  ＰＣボード
４４  モードスイッチ（センサ）
４６  減光スイッチ（センサ）
４８  運動スイッチ（センサ）
５０  光スイッチ（センサ）
６０  バッテリパック
６２  ケーブル
６４  プラグハウジング
１００  ウインドウ
【図１】
2008519294.tif 000003
【図２】
2008519294.tif 000004
【図３】
2008519294.tif 000005
【図４】
2008519294.tif 000006
【図５】
2008519294.tif 000007
【図６】
2008519294.tif 000008
【図７】
2008519294.tif 000009
【図８】
2008519294.tif 000010
【図９】
2008519294.tif 000011
【図１０】
2008519294.tif 000012
【図１１】
2008519294.tif 000013
【図１２】
2008519294.tif 000014
【図１３】
2008519294.tif 000015
【図１４】
2008519294.tif 000016
【図１５】
2008519294.tif 000017
【図１６】
2008519294.tif 000018
【図１７】
2008519294.tif 000019
【図１８】
2008519294.tif 000020
【図１９】
2008519294.tif 000021
【図２０】
2008519294.tif 000022
【図２１】
2008519294.tif 000023
【図２２】
2008519294.tif 000024
【図２３】
2008519294.tif 000025
【図２４】
2008519294.tif 000026
【図２５】
2008519294.tif 000027
【図２６】
2008519294.tif 000028
【図２７】
2008519294.tif 000029
【図２８】
2008519294.tif 000030
【図２９】
2008519294.tif 000031
【国際調査報告】
2008519294.tif 000032